(57)【要約】      （修正有）【課題】顧客が携帯端末でポイントカードのポイントの累積数に応じて付与される景品と、その景品を交換できる期間（有効期限）を容易に確認でき、ポイントを累積する意欲を湧かせて、ポイントカード発行者の商店等に買い物を集中させる効果をもたらすポイントカードを提供する。【解決手段】所定のポイント数に応じて交換可能な景品情報を表示する表示システムであって、前記景品情報を記憶し、通信ネットワーク３を介して前記景品情報を送信可能なサーバー２と、使用回数や使用金額等に応じて付与されるポイントと、ポイントの累積ポイント数と、前記サーバーに接続するアドレスをコード化した識別コードと、を表示するポイントカード４と、前記識別コードを読取手段により読取り、前記通信ネットワーク３を介して前記サーバー２に接続する通信手段と、この通信手段により前記景品情報を受信後に表示するディスプレイと、を有することを特徴とする。【選択図】図１
2007179466.tif 000002
【特許請求の範囲】
【請求項１】
所定のポイント数に応じて交換可能な景品情報を表示する表示システムであって、
前記景品情報を記憶し、通信ネットワークを介して前記景品情報を送信可能なサーバーと、
使用回数や使用金額等に応じて付与されるポイントと、ポイントの累積ポイント数と、前記サーバーに接続するアドレスをコード化した識別コードと、を表示するポイントカードと、
前記ポイントカードの前記識別コードを読取る読取手段と、この読取手段により前記識別コードを読取り、前記通信ネットワークを介して前記サーバーに接続する通信手段と、この通信手段により前記景品情報を受信後に表示する表示手段と、を備えた携帯端末と、
を有することを特徴とする景品情報の表示システム。
【請求項２】
所定のポイント数に応じて交換可能な景品情報を表示する表示システムであって、
前記景品情報を記憶する記憶手段と、前記記憶手段に記憶されている前記景品情報を操作する操作手段と、通信ネットワークに接続され前記景品情報を送信可能な送受信手段と、を有するサーバーと、
使用回数や使用金額等に応じて付与されるポイントと、ポイントの累積ポイント数と、前記サーバーに接続するアドレスをコード化した識別コードと、を表示するポイントカードと、
前記ポイントカードの前記識別コードを読取り、前記サーバーに接続するアドレスに変換する読取手段と、読取手段により前記識別コードを読取り、前記サーバーに接続するアドレスに変換した後に、前記通信ネットワークを介して前記サーバーに接続する通信手段と、前記景品情報を受信後に表示する表示手段と、を有する携帯端末と、
を具備したことを特徴とする景品情報の表示システム。
【請求項３】
前記景品情報は、所定のポイント数と、所定のポイント数に応じて交換可能な景品の景品名と、その景品が交換できる期限である有効期限と、景品の在庫数である景品在庫数と、を有することを特徴とする請求項１または請求項２記載の景品情報の表示システム。
【請求項４】
前記ポイント及び累積ポイント数、前記識別コードは、書換え可能に表示されることを特徴とする請求項１または請求項２記載の景品情報の表示システム。
【請求項５】
前記識別コードは、２次元コードであることを特徴とする請求項１または請求項２記載の景品情報の表示システム。
【請求項６】
前記携帯端末は携帯電話機であることを特徴とする請求項１または請求項２記載の景品情報の表示システム。
【発明の詳細な説明】
【技術分野】
【０００１】
本発明は、顧客がポイントの累積数に応じて付与される最新の景品を容易に確認でき、顧客にポイントを累積する意欲を湧かせて、ポイントカード発行者の商店等に買い物を集中させる効果をもたらす景品情報の表示システムに関する。
【背景技術】
【０００２】
従来、商店街やショッピングセンター、又はフランチャイズ企業やチェーン店、或いは個人商店などで、顧客勧誘用の方法として、使用回数や使用金額等に応じて顧客のポイントカードにポイントを付与し、ポイントの累積数が一定単位量に達したら、その累積数に応じて景品と引換えるという景品交換方法がある。
【０００３】
この景品交換方法に使用されるポイントカードは、表面に情報を表示する表示領域の素材として有効な熱可逆性材料を使用するもので、この熱可逆性材料は、有機低分子物質と樹脂を利用し、加熱により透明状態と白濁状態とが可逆的に変化し、更に、常温でもその２形態を維持するという特質を備えている。また、裏面には磁気記録層が形成されており、情報を記録できるようになっている。
【０００４】
図８および図９は、それぞれ従来のポイントカードの平面図および断面図を示すもので、図面において、ポイントカード２１は、ポリエステル樹脂、硬質塩化ビニル樹脂等のカード基材２２の表面にアルミ蒸着層３８が真空蒸着、スパッタリング蒸着等により形成されており、更にその上層に熱可逆性感熱記録層３９が積層形成されている。
【０００５】
そして、熱可逆性感熱記録層３９の上層には、表示領域２３と印刷領域２４とに区画されており、表示領域２３は、使用回数や使用金額等に応じて付与されるポイントを表示するポイント表示領域４０と、そのポイントの累積数を表示するポイント累積数表示領域４１が形成されている。また、印刷領域２４は、白色印刷２５およびこの白色印刷２５の上層にカラー印刷２６が施されている。
【０００６】
また、カード基材２２の裏面には、ポイントやポイントの累積数等のデータを書込みおよび消去可能な磁気記録層２７が形成されている。
【０００７】
また、このポイントカード２１の表示領域２３への印字方法として、図示しないカードプリンタのサーマルヘッドの発熱作用により透明状態にある熱可逆性感熱記録層３９に白濁部分を形成し、表示領域２３にポイントやポイントの累積数を印字する。
また、表示領域２３の印字の消去方法として、図示しないカードプリンタの熱板を熱可逆性感熱記録層３９に押し付けることにより、熱可逆性感熱記録層３９をすべて透明化させて、表示領域２３に印字されているポイントやポイントの累積数を消去する。
【０００８】
また、このポイントカード２１における磁気記録層２７の記録方法として、カードプリンタの磁気ヘッドにより磁気記録層２７に記録されたポイントやポイントの累積数等のデータを読取ったり、データの書込みや消去を行う。
【０００９】
熱可逆性感熱記録層４は図１０に示すように白濁部分４２と透明部分４３とに分けられ、透明部分４３において、アルミ蒸着層３８の銀色が表示領域２３の地色となり、白濁部分４２に対応する部分がポイントやポイントの累積数として白抜き状に浮かび上がる。このように、カードプリンタの熱板により、熱可逆性感熱記録層３９に印字されているポイントやポイントの累積数を消去し、サーマルヘッドを操作することにより、ポイントやポイントの累積数を印字し、書換えを行っている。
また、カードプリンタの熱板とサーマルヘッドによってポイントカード２１の熱可逆性感熱記録層３９の書換えを行い、磁気ヘッドにより磁気記録層２７に印字した情報と同一のポイントやポイントの累積数のデータの書換えを行う。
【００１０】
上述したポイントカード２１を、ポイントカード発行者である商店等で、ポイントカード所持者である顧客はポイントの累積数をポイントカード２１の表示領域２３に印字してあるポイント累積数表示領域４１を目視確認して、そのポイントの累積数の範囲内の景品に交換している。
【００１１】
しかしながら、従来の景品交換方法では、ポイントカード２１にポイントの情報として、ポイント表示領域４０のポイントと、ポイント累積数表示領域４１のポイントの累積数のみの表示であったため、例えば顧客がポイントカードのポイントの累積数がある一定量になったと判断した際、そのポイントの累積数で交換できる景品を確認する時は、商店等に問い合わせる等によってしか知り得ることができず手間がかかるという問題があった。
【００１２】
また、顧客が景品に交換できるポイントの累積数の情報を知っていたとしても、商店等の都合で景品に変更がある場合、又は月ごとに景品の内容が変更する場合等の理由によって、顧客は、所持しているポイント累積数で、現在どのような景品と交換できるのかをリアルタイムに確認することができないという問題があった。
また、景品の変更がなく現在の景品と交換できる期限（有効期限）がいつまでであるのかが明らかでないという問題があった。
また、希望の景品の在庫数が（景品在庫数）いくつあるのかが明らかでないという問題があった。
【００１３】
上述した理由により、商店等が顧客にポイントカード４を発行したとしても、顧客にポイントを累積する意欲を湧かすことはできなかった。
よって、顧客をポイントカード発行者の商店等に買い物を集中させることも困難であり、結局、顧客の勧誘用の景品交換方法としては効果が薄かった。
【特許文献１】特開平０５-２３３９５７
【特許文献２】特開平１０−７９０８６
【発明の開示】
【発明が解決しようとする課題】
【００１４】
本発明は、上記のような問題点に着目してなされたものであって、顧客がポイントの累積数に応じて付与される最新の景品と、その景品を交換できる期限（有効期限）と、景品の在庫数（景品在庫数）と、をリアルタイムに確認でき、ポイントを累積する意欲を湧かせて、ポイントカード発行者の商店等に買い物を集中させる効果をもたらす景品情報の表示システムを提供することを目的とする。
【課題を解決するための手段】
【００１５】
本発明に係る景品情報の表示システムは、所定のポイント数に応じて交換可能な景品情報を表示する表示システムであって、前記景品情報を記憶し、通信ネットワークを介して前記景品情報を送信可能なサーバーと、使用回数や使用金額等に応じて付与されるポイントと、ポイントの累積ポイント数と、前記サーバーに接続するアドレスをコード化した識別コードと、を表示するポイントカードと、前記ポイントカードの前記識別コードを読取る読取手段と、この読取手段により前記識別コードを読取り、前記通信ネットワークを介して前記サーバーに接続する通信手段と、この通信手段により前記景品情報を受信後に表示する表示手段と、を備えた携帯端末と、を有することを特徴とする。
所定のポイント数に応じて交換可能な景品情報を表示する表示システムであって、前記景品情報を記憶する記憶手段と、前記記憶手段に記憶されている前記景品情報を操作する操作手段と、通信ネットワークに接続され前記景品情報を送信可能な送受信手段と、を有するサーバーと、使用回数や使用金額等に応じて付与されるポイントと、ポイントの累積ポイント数と、前記サーバーに接続するアドレスをコード化した識別コードと、を表示するポイントカードと、前記ポイントカードの前記識別コードを読取り、前記サーバーに接続するアドレスに変換する読取手段と、読取手段により前記識別コードを読取り、前記サーバーに接続するアドレスに変換した後に、前記通信ネットワークを介して前記サーバーに接続する通信手段と、前記景品情報を受信後に表示する表示手段と、を有する携帯端末と、を具備したことを特徴とする。
前記景品情報は、所定のポイント数と、所定のポイント数に応じて交換可能な景品の景品名と、その景品が交換できる期限である有効期限と、景品の在庫数である景品在庫数と、を有することができる。
前記ポイント及び累積ポイント数、前記識別コードは、書換え可能に表示することができる。
前記識別コードは、２次元コードであることができる。
前記携帯端末は携帯電話機であることができる。
【発明の効果】
【００１６】
本発明に係る景品情報の表示システムは、所定のポイント数に応じて交換可能な景品情報を表示する表示システムであって、前記景品情報を記憶し、通信ネットワークを介して前記景品情報を送信可能なサーバーと、使用回数や使用金額等に応じて付与されるポイントと、ポイントの累積ポイント数と、前記サーバーに接続するアドレスをコード化した識別コードと、を表示するポイントカードと、前記ポイントカードの前記識別コードを読取る読取手段と、この読取手段により前記識別コードを読取り、前記通信ネットワークを介して前記サーバーに接続する通信手段と、この通信手段により前記景品情報を受信後に表示する表示手段と、を備えた携帯端末と、を有するため、顧客は現在所持しているポイントの累積数で交換できる景品を携帯端末で手間をかけずにリアルタイムに確認することができる。
また、前記景品情報には、所定のポイント数と、所定のポイント数に応じて交換可能な景品の景品名と、その景品が交換できる期限である有効期限と、景品の残りの在庫数である景品在庫数と、が表示されるため、景品の変更がなく現在の景品と交換できる期限（有効期限）と、景品の在庫数（景品在庫数）を確認することができる。
また、識別コードが書き換え可能に表示しているため、ポイントカードの発行元である商店等に設置してあるカードプリンタによって変更したアドレスの識別コードに書き換えできる。よって、変更したアドレスの識別コードが表示してある新しいカードに交換する等の手間や経費をかけずに済む。また、顧客も手持ちのカードを継続的に使用でき、余計な手間がかからずに済む。
【発明を実施するための最良の形態】
【００１７】
以下、本発明に係る景品情報の表示システムの実施の形態について図面に基づいて詳細に説明する。
【００１８】
図１は、景品情報の表示システム１のシステム構成図を示すものである。尚、上述した構成要素と同一の構成については同一の符号を付す。
【００１９】
景品情報の表示システム１は、サーバー２と、通信ネットワーク３と、ポイントカード４と、カードプリンタ５と、携帯端末６と、から構成される。
【００２０】
図２に示すように、サーバー２は、景品情報１０を記憶した記憶手段７と、前記記憶手段７の情報を変更する操作手段８と、通信ネットワーク３に接続され前記景品情報１０を送信可能な送受信手段９と、前記記憶手段７及び操作手段８及び送受信手段９を制御する制御手段と、を有する。
【００２１】
サーバー２の記憶手段７に記憶された景品情報１０は、景品名１２と、その景品を交換可能なポイント数１１と、その景品が交換できる期限である有効期限１３と、ポイントカード発行者の商店等にある景品の在庫数である景品在庫数１４と、ポイントカードの発行者の名称及び場所及び連絡先を表示する名称情報１５と、セールの情報及び季節等の装飾を表示する広告情報１６を有し、この景品情報１０はサーバー２の送受信手段９より通信ネットワーク３を介して携帯端末６に送信され、携帯端末６のディスプレイ３６に表示される。携帯端末６のディスプレイ３６に表示される表示内容は図３に示す。
この景品情報１０は後述する操作手段８によって任意に内容を変更できる。例えば、ポイントカードの発行者である商店等の都合により、景品名１２と、その景品を交換可能なポイント数１１に変更があったときは、操作手段８によって景品名１２とポイント数１１の情報を変更する。また、クリスマスやお正月等の季節のイベントや、商店等のセール時期等は景品情報１０の文字フォントや、広告情報１６を相応しいように任意に変更することが好ましい。
【００２２】
操作手段８は、景品情報１０を表示するモニター１７と、景品情報１０を変更する操作に用いられるキーボード１８及びマウス１９と、を有し、サーバーの記憶手段７の情報を変更するものである。操作者は、モニター１７で景品情報１０を見ながら、キーボード１８とマウス１９を操作することによって、景品情報１０のポイント数１１及び景品名１２及び有効期限１３及び景品在庫数１４の情報を変更することができる。もちろんタッチパネルなどサーバー２の記憶手段７の情報を変更できるものも含まれる。
【００２３】
送受信手段９は、通信ネットワーク３に接続されており、携帯端末６の接続確認後に、記憶手段７に記憶している景品情報１０を通信ネットワーク３を介して携帯端末６に送信するものである。この送受信手段９には外付けのモデムを含んでもよい。
モデムとはデジタル信号を伝送路の特性に合わせたアナログ信号にデジタル変調して送信するとともに、伝送路からのアナログ信号をデジタル信号に復調して受信する通信機器である。
また、送受信手段９の通信ネットワーク３への接続方式としては、ＲＳ‐２３２Ｃ・ＲＳ‐４２２などのシリアルインターフェースで接続する方式や、サーバー２本体に内蔵型やＰＣカードタイプでもよい。サーバー２の機種によってはＵＳＢで直接接続してもよく、ケーブルモデム・ＡＤＳＬモデムなどの高速なものは、ＬＡＮポート（イーサネット）で接続してもよい。
【００２４】
サーバー２と携帯端末６との送受信の情報量が過多にならないため、景品情報１０を受信した携帯端末６が、再びサーバー２に情報を送信することができる手段を設けないことが好ましい。このようにすることにより、携帯端末６からの多数の接続によってサーバー２がダウンすることや、送受信速度の低下を防ぐことができ、ポイントカードの発行者である商店等は安定したサービス（景品情報）を顧客に提供できるからである。
【００２５】
制御手段としてのＣＰＵ２０は、前記記憶手段７及び操作手段８及び送受信手段９を制御するものである。
【００２６】
通信ネットワーク３は、サーバー２と携帯端末６を送受信可能に接続しているインターネット回線のことである。インターネット回線の通信方式には電話回線や電力線を用いる方式などがある。もちろん有線通信であっても無線通信であってもよい。
【００２７】
図４に示すようにポイントカード４は、ポリエステル樹脂、硬質塩化ビニル樹脂等のカード基材２２の表面に書き換え可能でかつ目視可能な表示領域２３と、白色印刷２５およびこの白色印刷２５の上層にカラー印刷２６が施されている印刷領域２４と、裏面にポイントやポイントの累積数を記憶する磁気記録層２７と、を有する。
【００２８】
図５に示すように、ポイントカード４の表示領域２３には、使用回数や使用金額等に応じて付与されるポイント２８と、累積ポイント数２９と、が書き換え可能に表示している。使用回数や使用金額等に応じて付与されるポイント２８とは、１回毎の買い物に付与されるポイントという意味である。例えば図５に図示されているように、ポイントカード４発行者の商店等で、最後に買い物をした時に発生したポイント２８がポイントカード４の表示領域２３に表示される。また、累積ポイント数２９とは、１回毎の買い物で発生したポイント２８の合計数という意味である。例えば、１回目の買い物で１００ポイント発生し、２回目の買い物で１５０ポイント発生し、３回目の買い物で５０ポイント発生した場合に、累積ポイント数２９には３００ポイントと表示される。
【００２９】
印刷領域２４には、ポイントカード４の発行者の名称及び場所及び電話番号及びメールアドレス及びウェブサイトのアドレスが表示してあり、また、サーバー２に接続するアドレスをコード化した識別コード３０を表示している。この識別コード３０は、１次元バーコードと比較して、多くの情報量が記憶でき、英字や漢字も記憶でき、汚れや欠けにも強く、３６０度全方向から読取り可能な２次元コード、例えば、ＱＲコードにすることが好ましい。（Ｑｕｉｃｋ  Ｒｅｓｐｏｎｓｅ）コードにすることによって多くの情報が記入でき、また、ポイントカード４を汚してしまった若しくは欠けてしまった場合なども読取りができる可能性が1次元バーコードと比較して高いからである。また、アドレスとは、商店等のインターネットのウェブサイトを示すＵＲＬのことである。
【００３０】
ポイントカード４の別の実施例として図６のポイントカード３1がある。このポイントカード３1は、識別コード３０を表示領域２３に書き換え可能に表示することができる。例えば商店等の都合によりサーバー２に接続するためのアドレスに変更があったとしても、ポイントカード３1は識別コード３０が書き換え可能な表示領域２３に表示しているため、ポイントカード３1の発行者である商店等に設置してあるカードプリンタ５によって変更したアドレスの識別コード３０に書き換えできる。よって、変更したアドレスの識別コード３０が表示してある新しいカードに交換する等の手間や経費をかけずに済む。また、顧客も手持ちのカードを継続的に使用でき、余計な手間がかからずに済む。
また、ポイントカード３1は、識別コード３０を携帯端末６の読取手段で読取り易いように、白色の表示領域２３に黒色に発色又は、白色の表示領域２３に青色に発色するロイコカードが好ましい。
【００３１】
カードプリンタ５は、背景技術で記載したように、ポイントカード４の表示領域２３と、磁気記録層２７の情報の書き換えを行う。
【００３２】
図３に示すように携帯端末６は、ポイントカード４に表示された識別コード３０を読取る読取手段３２と、この読取手段３２により前記識別コード３０を読取り後に、前記通信ネットワーク３を介して前記サーバー２に接続する通信手段３３と、この通信手段３３により前記景品情報１０を受信後に表示する表示手段と、前記読取手段３２及び通信手段３３及び表示手段を制御する携帯端末制御手段を有する。
【００３３】
読取手段３２には、識別コード３０を読取るためのカメラ３４と、カメラ３４で読取った識別コード３０をサーバー２に接続するアドレスに解析する変換手段３５と、を有する。
【００３４】
カメラ３４は、識別コード３０を読取るものであればよく、携帯端末６に内蔵していても、外付けであってもよい。
また、識別コード３０をカメラ３４によって読取る際に、操作者の手ぶれによって識別コード３０を正確に読取るまでに時間を要することがある。この手ぶれを気にせずに容易に読込むために、カメラ３４に手ぶれ補正機能があるとよい。手ぶれ補正機能とは、撮影の際に携帯端末６に画像を読み込み、最初に撮影した画像とそれ以降に撮影した画像とを比較、そのはみ出し量を演算し、撮影可能な領域を自動的にずらして撮影し記録するという機能である。この手ぶれ補正機能により操作者は容易に識別コード２９を読取ることができる。
【００３５】
変換手段３５は、カメラ３４で読取った識別コードをサーバー２に接続するアドレスに変換するものである。
ポイントカード４の発行者である商店等のサーバー２の記憶手段７に記憶してあるアプリケーションを携帯端末６でダウンロードし、実行することによってのみ識別コード３０をサーバー２のアドレスに変換できるようにしてもよい。このようにすることにより、ポイントカード４を持っていない顧客の携帯端末６からサーバー２に接続されて、接続が多くなりサーバー２がダウンすることや、送受信速度の低下を防ぐことができるからである。
【００３６】
通信手段３３は、アドレスを読込み、通信ネットワークを介してサーバー２に接続するものである。
【００３７】
表示手段としてのディスプレイ３６は、携帯端末６の通信手段３３によりサーバー２に接続し、サーバー２の記憶手段７に記憶された景品情報１０を受信後に表示するものである。このディスプレイ３６は景品情報１０が表示できるものであればよく、例えば携帯電話機等のカラー液晶ディスプレイが好ましい。この液晶ディスプレイの原理は、外光やフロントライト、バックライトにより発せられた光をさえぎったり透過させたりすることによって表示をする。液晶に電圧を加えると液晶分子の向き（配向）が変化し、この配向変化を利用して光のシャッターを実現して表示する。しかしながら、液晶だけでは光をさえぎることができないため、液晶の前後に特定の偏光方向の光のみを透過させる偏光フィルタを配置するものである。
【００３８】
携帯端末制御手段としてのＣＰＵ３７は、前記読取手段３２及び通信手段３３及び表示手段を制御するものである。
【００３９】
上述した携帯端末６は、上記の構成を有してあれば、特に限定されないが、カメラ付き携帯電話機であることが望ましい。カメラ付き携帯電話機の使用により、特別な装置の必要とせず容易に本発明のシステムを利用することができるからである。
また、携帯端末は、カメラ付き携帯電話機に限定されずＰＤＡ（Ｐｅｒｓｏｎａｌ  Ｄｉｇｉｔａｌ  Ａｓｓｉｓｔａｎｔ）のような携帯可能で、識別コードを読込めでき、サーバーと情報を送受信できる携帯端末でもよい。
【００４０】
次に本発明に係る景品情報の表示システムの使用形態について説明する。
【００４１】
図７は本発明の使用形態を表すフローチャートである。
ＳＴＥＰ1は、顧客が携帯端末６のカメラ３４でポイントカード４の識別コード３０を読取りする。
ＳＴＥＰ２は、携帯端末６の変換手段３５で識別コード３０をポイントカード４発行者の商店等のウェブサイトのアドレスに変換する。
ＳＴＥＰ３は、携帯端末６の通信手段３３で、通信ネットワーク３を介してサーバー２に接続する。
ＳＴＥＰ４は、サーバー２の送受信手段９で、携帯端末６の接続後に、記憶手段７に記憶している景品情報１０を通信ネットワーク３を介して携帯端末６に送信する。
ＳＴＥＰ５は、携帯端末６の通信手段３３で、サーバー２の送受信手段９から通信ネットワーク３を介して送信された景品情報１０を受信する。
ＳＴＥＰ６は、携帯端末６のディスプレイ３６で景品情報１０を表示する。
【００４２】
上述したように、本発明によれば、顧客が携帯端末６（携帯電話機）により、ポイントカード４にある識別コード３０を読取り、商店等のサーバー２に接続することによって、景品名１２とその景品名１２に対応したポイント数１１と、その景品の交換できる有効期限１３と、景品の在庫数である景品残数１４と、を携帯端末６のディスプレイ３６で確認できるので、顧客は現在所持しているポイントの累積数で交換できる景品を携帯端末６でリアルタイムで目視確認することができる。
また、景品が交換できる期限である有効期限１３が表示されるため、景品の変更がなく現在の景品と交換できる期限（有効期限）がいつまでであるのかをリアルタイムで確認することができる。
また、景品の在庫数である景品在庫数１４が表示されるため、景品の残りの数をリアルタイムで確認することができる。
よって顧客にポイントを累積する意欲を湧かすことができ、顧客をポイントカード発行者の商店等に買い物を集中させることができる。
【００４３】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００４４】
【図１】本発明に係る景品情報の表示システムのシステム構成図ある。
【図２】本発明に係る景品情報の表示システムのブロック図である。
【図３】携帯端末のディスプレイ表示図である。
【図４】ポイントカードの断面図である。
【図５】ポイントカードの平面図である。
【図６】ポイントカードの別の実施例の平面図である。
【図７】本発明に係る景品情報の表示システムのフローチャートである。
【図８】従来のポイントカードの平面図である。
【図９】従来のポイントカードの断面図である。
【図１０】従来のポイントカードの熱可逆性感熱記録層の詳細図である。
【符号の説明】
【００４５】
１      景品情報の表示システム
２      サーバー
３      通信ネットワーク
４      ポイントカード
５      カードプリンタ
６      携帯端末
７      記憶手段
８      操作手段
９      送受信手段
１０    景品情報
１１    ポイント数
１２    景品名
１３    有効期限
１４    景品在庫数
１５    名称情報
１６    広告情報
１７    モニター
１８    キーボード
１９    マウス
２０    ＣＰＵ
２１    ポイントカード
２２    カード基材
２３    表示領域
２４    印刷領域
２５    白色印刷
２６    カラー印刷
２７    磁気記録層
２８    ポイント
２９    累積ポイント数
３０    識別コード
３１    ポイントカード
３２    読取手段
３３    通信手段
３４    カメラ
３５    変換手段
３６    ディスプレイ
３７    ＣＰＵ
３８    アルミ蒸着層
３９    熱可逆性感熱記録層
４０    ポイント表示領域
４１    ポイント累積数表示領域
４２    白濁部分
４３    透明部分
【図１】
2007179466.tif 000003
【図２】
2007179466.tif 000004
【図３】
2007179466.tif 000005
【図４】
2007179466.tif 000006
【図５】
2007179466.tif 000007
【図６】
2007179466.tif 000008
【図７】
2007179466.tif 000009
【図８】
2007179466.tif 000010
【図９】
2007179466.tif 000011
【図１０】
2007179466.tif 000012